(57)【要約】開扉装置（３２）は、モータ（３４）の駆動による回転力を伝達するギヤ（３８）と、ギヤ（３８）に連動して回転動作するレバー（４０）とを備える。レバー（４０）は、回転軸となる基端部（４０ａ）と、基端部（４０ａ）を支点として回転移動する自由端部（４０ｂ）とを有する。基端部（４０ａ）は、ギヤ（３８）の上方において固定されている。
2018116707.tif 000002
【特許請求の範囲】
【請求項１】
モータと、前記モータの駆動による回転力を駆動力に変換するギヤと、前記ギヤに連動して回転動作するレバーとを備え、
前記レバーは、回転軸となる基端部と、前記基端部を支点に回転移動する自由端部とを有し、
前記基端部は、前記ギヤの上方において固定されている
開扉装置。
【請求項２】
前記レバーは、前記基端部と前記自由端部との間に、凸状部または凹状部を有する
請求項１に記載の開扉装置。
【請求項３】
上部ケースと下部ケースとを有するケースをさらに備え、
前記下部ケースに、前記モータと前記ギヤとが収容され、
前記上部ケースの外側上面に、前記レバーが配置され、
前記レバーと、前記モータおよび前記ギヤとは、前記上部ケースで区画された
請求項１または２に記載の開扉装置。
【請求項４】
前記基端部は、前記上部ケースに設けられた貫通孔を通り、前記ギヤの回転中心部に固定部材で固定された
請求項１から３のいずれか一項に記載の開扉装置。
【請求項５】
前記レバーの外周部で、かつ、前記レバーが固定される前記ギヤと前記上部ケースとの間に、防水部材が配置された
請求項４に記載の開扉装置。
【請求項６】
前記上部ケースは、前記上部ケースから下方へ延びる下方フランジ部を有し、
前記下方フランジ部は、前記下部ケースの側壁面の高さ方向において、前記側壁面とオーバーラップして配置された
請求項３に記載の開扉装置。
【請求項７】
前記レバーは、前記基端部と前記自由端部との間に、前記凸状部である突出部を有し、
前記突出部は、前記レバーの外周から前記ケースの外周に向かって突出した
請求項１から６のいずれか一項に記載の開扉装置。
【請求項８】
前記レバーは、基端部と自由端部との間に、前記凹状部である切欠き部を有する
請求項２から６のいずれか一項に記載の開扉装置。
【請求項９】
前記レバーを固定する前記ギヤに連動するカム部材と、
前記カム部材の動作により、前記レバーの回転位置を検知する位置検知部とをさらに備えた
請求項１から８のいずれか一項に記載の開扉装置。
【請求項１０】
請求項１から９のいずれか一項に記載の前記開扉装置を備えた
冷蔵庫。
【請求項１１】
冷蔵庫本体と、
前記冷蔵庫本体内を上下方向に複数の貯蔵室に区画する区画壁と、
前記レバーを回転動作させる前記モータを含む機能部品を収納するケースと、
前記ケースを収納するベース部材とをさらに備え、
前記区画壁は、凹部を有し、
前記ベース部材は、前記区画壁に設けられた前記凹部に配置され、前記ケースと前記ベース部材との間に、防水部材が配置された
請求項１０に記載の冷蔵庫。
【請求項１２】
前記複数の貯蔵室は、引出し式貯蔵室を有し、
前記開扉装置の前記レバーは、前記引出し式貯蔵室に配置される収納ケースの底面を押圧するよう構成された
請求項１０または１１に記載の冷蔵庫。
【請求項１３】
前記レバーにより押圧される前記収納ケースの押圧位置には、当接部材が配置され、
前記当接部材は、前記収納ケースとは異なる材質で構成された
請求項１０から１２のいずれか一項に記載の冷蔵庫。
【請求項１４】
前記収納ケースの前記底面には、前記収納ケースの左右方向に前記ケースを補強する補強リブが設けられ、
前記当接部材は、前記補強リブに接触させて配設された
請求項１３に記載の冷蔵庫。
【請求項１５】
貯蔵室と、前記貯蔵室の前面に設けられた引出し式扉と、前記貯蔵室内に設けられた収納ケースと、前記収納ケースの底面に設けられた開扉装置とを備え、
前記収納ケースは、前記底面に当接部材を有し、
前記開扉装置は、モータと、前記モータの駆動による回転力を駆動力に変換するギヤと、前記ギヤに連動して回転動作するレバーとを有し、
前記レバーは、回転軸となる基端部と、前記基端部を支点として回転移動する自由端部とを有し、
前記レバーは、前記基端部と前記自由端部との間に、切欠き部を有するとともに、前記切欠き部と前記自由端部との間に、円弧部を有する冷蔵庫。
【発明の詳細な説明】
【技術分野】
【０００１】
本開示は、開扉装置およびこれを備えた冷蔵庫に関する。
【背景技術】
【０００２】
冷蔵庫の大型化に伴い、扉を自動的に開放させる開扉装置として、従来、モータを駆動源としてウォームギヤおよびラックによって押圧部材が直線運動することにより、扉を自動開放する構成が開示されている（例えば、特許文献１参照）。【０００３】
また、モータを駆動源として、半円形状のカム部材が、減速ギヤの出力段ギヤに結合して、回転しながら扉を外方へ押圧する構成が開示されている（例えば、特許文献２参照）。【０００４】
しかしながら、このような従来の冷蔵庫において、冷蔵庫の大型化に伴い、ヒンジ式の冷蔵室扉を備える冷蔵室、並びに、引出し式扉を備える冷凍室および野菜室などに収納される食品の量が増え、扉を開くために要する力が増大する傾向にある。さらに、扉が閉じた状態では、冷蔵庫本体と吸着している、扉のガスケットの磁力もあって、ガスケットを冷蔵庫本体から離す力も加わり、扉を開く力が増大する傾向にある。【０００５】
また、特許文献２の開扉装置の場合、カム部材は、モータとほぼ同じ高さに設けられている。また、カム部材は、扉閉時は、駆動源となるモータ等の駆動ケース内に収納されている。このような開扉装置においては、カム部材収納スペースおよび駆動ケース内にカム部材の回転スペースを確保するため、カム部材の回転軌跡からモータを遠ざけて配置することになり、開扉装置が大型化するという課題がある。【０００６】
また、特許文献２の開扉装置の場合、ユニットケースの一部を開口して、カム部材が回転可能となるよう構成されているため、庫内に開扉装置を配置した場合、結露水が内部に浸入する虞がある。【０００７】
また、特許文献２の開扉装置は、各貯蔵室間の前面開口部を構成する前面仕切内に埋設されて、仕切部材の前面から冷蔵庫本体の外側へカム部材を回転させて貯蔵室扉を押圧するよう構成されている。特許文献２に記載されているような開扉装置を、引出し式扉を有する貯蔵室に設ける場合、開扉装置は、冷蔵庫本体の開口部付近に設けられる。この場合、引出し式扉と一緒に前方へ移動する収納容器は、冷蔵庫本体の開扉装置が配置されている部分を通り過ぎて、冷蔵庫本体が引出されることになるが、冷蔵庫本体に開口部付近に開扉装置を設けるスペースを確保する必要があるため、収納容積が低減するという課題がある。また、引出し式扉と一緒に移動する引出し式収納容器の移動中に、収納容器の変形等により、収納容器が開扉装置に接触するという課題がある。【０００８】
また、カム部材に複数の段差部が設けられ、カム部材の複数の段差部の形状と合致する形状の複数の段差部を有する連結部材が設けられている開扉装置においては、カム部材の回転動作時に、カム部材と連結部材との間の当接にズレが生じる等の不具合が生じる虞がある。また、このような開扉装置においては、カム部材と連結部材とが、互いの複数の段差部同士が噛み合うことによって開扉動作が行われるため、円滑な開扉動作という観点で改善の余地がある。
【先行技術文献】
【特許文献】
【０００９】
【特許文献１】特開２００１−０３３１５０号公報
【特許文献２】特開２００２−２５７４６６号公報
【発明の概要】
【００１０】
本開示は、上記のような従来の課題に鑑みてなされたものであり、扉を自動的に開扉することができるコンパクトな開扉装置、および、これを備えた冷蔵庫を提供する。
【００１１】
具体的には、本開示の実施の形態の一例による開扉装置は、モータと、モータの駆動による回転力を駆動力に変換するギヤと、ギヤに連動して回転動作するレバーとを備える。レバーは、回転軸となる基端部と、基端部を支点に回転移動する自由端部とを有する。基端部は、ギヤの上方において固定されている。
【００１２】
このような構成により、開扉装置の奥行寸法を抑制でき、コンパクトな開扉装置を得ることができる。また、このように構成された開扉装置を備える冷蔵庫においては、冷蔵庫の使い勝手を高めながら、内容積低減を抑制することができる。
【００１３】
また、本開示の実施の形態の一例による開扉装置において、レバーは、基端部と自由端部との間に、凸状部または凹状部を有していてもよい。このような構成により、開扉初期に強いトルクを発生させることができ、扉のガスケットのマグネットの磁力による負荷の影響を低減できる。このような構成により、開扉動作を効率的に行うことができる。
【００１４】
また、本開示の実施の形態の一例による開扉装置は、上部ケースと下部ケースとを有するケースをさらに備えていてもよい。この場合、下部ケースに、モータおよびギヤ等が収容され、上部ケースの外側上面に、レバーが配置され、レバーと、モータおよびギヤとは、上部ケースで区画されていてもよい。このような構成により、モータおよびギヤ等をケース内に収納し、これらをレバーと分けて配置することができる。このような構成により、結露水等がケース内に浸入することを防止することができる。また、このような構成により、レバーだけを上部ケースの外側上面に配設することができるので、貯蔵室の無効空間を低減することができ、貯蔵室の内容積を大きくすることができる。
【００１５】
また、本開示の実施の形態の一例による開扉装置において、基端部は、上部ケースに設けられた貫通孔を通り、ギヤの回転中心部に固定部材で固定されていてもよい。このような構成により、ケース内と連通する部分をできるだけ小さくすることができる。
【００１６】
また、本開示の実施の形態の一例による開扉装置は、レバーの外周部で、かつ、レバーが固定されるギヤと上部ケースとの間に、防水部材が配置されていてもよい。このような構成により、開扉装置内への水の浸入を防止でき、開扉装置の信頼性を高めることができる。
【００１７】
また、本開示の実施の形態の一例による開扉装置において、上部ケースは、上部ケースから下方へ延びる下方フランジ部を有していてもよい。この場合、下方フランジ部は、下部ケースの側壁面の高さ方向において、側壁面とオーバーラップするよう配置されていてもよい。このような構成により、開扉装置の防水性を高めることができる。
【００１８】
また、本開示の実施の形態の一例による開扉装置において、レバーの凸状部は、レバーの外周からケースの外周に向かって、すなわち、レバーの外周から開扉装置の外側に向かって突出した突出部を有していてもよい。このような構成により、開扉初期に強いトルクを発生させることができ、扉のガスケットのマグネットの磁力による負荷の影響を低減できる。よって、このような構成により、開扉動作を効率的に行うことができる。
【００１９】
また、本開示の実施の形態の一例による開扉装置において、レバーは、基端部と自由端部との間に、凹状部である切欠き部を有していてもよい。このような構成により、レバーと当接部材とが当接する際、レバーおよび当接部材それぞれの当接する部分の表面が滑ることなく、当接部材がレバーにより確実に押圧され、レバーの押圧力を効率よく当接部材に伝えることが可能となる。このような構成により、大きな開扉力が必要なときに、モータの動力を効率よく受けることができるため、モータの負荷を軽減することができる。
【００２０】
また、本開示の実施の形態の一例による開扉装置は、レバーを固定するギヤに連動するカム部材と、カム部材の動作により、レバーの回転位置を検知する位置検知部とをさらに備えていてもよい。このような構成により、レバーが所定角度回転したとき、位置検知部によりレバーが検出され、制御装置によりモータの回転方向または回転停止が制御され、レバーの動作を制御することができる。
【００２１】
また、本開示は、上記いずれかの形態を有する開扉装置を備えた冷蔵庫を提供する。本開示の実施の形態の一例による開扉装置を備えることにより、使い勝手および信頼性を高めた冷蔵庫を得ることができる。
【００２２】
また、本開示の実施の形態の一例による冷蔵庫は、冷蔵庫本体と、冷蔵庫本体内を複数の貯蔵室に区画する区画壁と、レバーを回転動作させるモータを含む機能部品を収納するケースと、ケースを収納するベース部材とをさらに備えていてもよい。この場合、区画壁は、凹部を有し、ベース部材は、区画壁に設けられた凹部に配置され、ケースとベース部材との間に、防水部材が配置されていてもよい。このような構成により、さらに信頼性を高めた冷蔵庫を提供することができる。
【００２３】
また、本開示の実施の形態の一例による冷蔵庫において、複数の貯蔵室は、引出し式貯蔵室を有していてもよい。また、本開示の実施の形態の一例による冷蔵庫において、開扉装置のレバーは、引出し式貯蔵室に配置される収納ケースの底面を押圧するよう構成されていてもよい。このような構成により、引出し式貯蔵室の内容積の低減を抑制しながら、開扉装置を冷蔵庫に配設することができる。
【００２４】
また、本開示の実施の形態の一例による冷蔵庫は、レバーにより押圧される収納ケースの押圧位置に、当接部材が配置されていてもよい。また、本開示の実施の形態の一例による冷蔵庫において、当接部材は、収納ケースとは異なる材質で構成されていてもよい。このような構成により、当接部材の耐久性を高めることができる。
【００２５】
また、本開示の実施の形態の一例による冷蔵庫は、収納ケースの底面に、収納ケースの左右方向にケースを補強する補強リブが設けられていてもよい。また、本開示の実施の形態の一例による冷蔵庫において、当接部材は、補強リブに接触させて配設されていてもよい。このような構成により、当接部材を補強することができる。
【００２６】
また、本開示の実施の形態の一例による冷蔵庫は、引出し式貯蔵室と、引出し式貯蔵室の前面に設けられた引出し式扉と、引出し式貯蔵室内に設けられた収納ケースと、収納ケースの底面に設けられた開扉装置とを備えていてもよい。収納ケースは、底面に当接部材を有していてもよい。開扉装置は、モータと、モータの駆動による回転力を駆動力に変換するギヤと、ギヤに連動して回転動作するレバーとを有していてもよい。レバーは、回転軸となる基端部と、基端部を支点として回転移動する自由端部とを有していてもよい。レバーは、基端部と自由端部との間に、切欠き部を有していてもよい。また、レバーは、当接部材と当接する円弧部を有していてもよい。
【００２７】
このような構成により、レバーの回転動作時に、当接部材の一部が切欠き部内に入り込み、レバーの更なる回転動作に伴い、当接部材の当接面がレバーの円弧部に押圧され、収納ケースが円滑に開方向に移動する。また、このような構成により、レバーと当接部材とがそれぞれ複数の段差部等を有する場合に生じる当接のズレ等の不具合を回避することができ、信頼性を向上させることができる。
【図面の簡単な説明】
【００２８】
【図１】図１は、本開示の実施の形態１における冷蔵庫の正面図である。
【図２】図２は、本開示の実施の形態１における冷蔵庫の縦断面図である。
【図３】図３は、本開示の実施の形態１における開扉装置の分解斜視図である。
【図４】図４は、本開示の実施の形態１における開扉装置の要部斜視図である。
【図５】図５は、本開示の実施の形態１における開扉装置の平面図である。
【図６】図６は、本開示の実施の形態１における開扉装置の要部の平面図である。
【図７】図７は、本開示の実施の形態１における冷蔵庫の要部の断面斜視図である。
【図８】図８は、本開示の実施の形態１における冷蔵庫の開扉力を示した模式図である。
【図９Ａ】図９Ａは、本開示の実施の形態１における冷蔵庫の当接部材および開扉装置の自由端部それぞれの待機位置を示す図である。
【図９Ｂ】図９Ｂは、本開示の実施の形態１における冷蔵庫の当接部材と開扉装置の自由端部との第１段階の当接位置を示す図である。
【図９Ｃ】図９Ｃは、本開示の実施の形態１における冷蔵庫の当接部材と開扉装置の自由端部との第３段階の当接位置を示す図である。
【図１０】図１０は、本開示の実施の形態の一例による冷蔵庫の収納ケース底面の斜視図である。
【図１１】図１１は、本開示の実施の形態２における冷蔵庫の開扉装置の分解斜視図である。
【図１２】図１２は、本開示の実施の形態２の冷蔵庫における当接部材と開扉装置の自由端部との当接位置を説明するための図である。
【発明を実施するための形態】
【００２９】
以下、本開示の実施の形態について、図面を参照しながら説明する。なお、以下の実施の形態によって本開示が限定されるものではない。
【００３０】
（実施の形態１）
図１は、本開示の実施の形態の一例による冷蔵庫の正面図、図２は、本開示の実施の形態の一例による冷蔵庫の縦断面図、および、図３は、本開示の実施の形態の一例による開扉装置の分解斜視図である。図４は、本開示の実施の形態の一例による開扉装置の要部の斜視図、図５は、本開示の実施の形態の一例による開扉装置の平面図、および、図６は、本開示の実施の形態の一例による開扉装置の要部の平面図である。図７は、本開示の実施の形態の一例による冷蔵庫の要部の断面斜視図であり、図８は、本開示の実施の形態の一例による冷蔵庫の開扉力を示した模式図である。図９Ａ〜図９Ｃは、本開示の実施の形態の一例による冷蔵庫の当接部材と開扉装置との関係を示した図である。図１０は、本開示の実施の形態の一例による冷蔵庫の収納ケース底面の斜視図である。
【００３１】
図１および図２において、冷蔵庫１００は、上段、中段、および下段に区画された複数の貯蔵室を備える。具体的には、冷蔵庫１００は、上段には、冷蔵室２が配設されている。冷蔵室２は、前面に冷蔵室扉２ａを有する。冷蔵室扉２ａは、ヒンジ式で開閉する観音開き式扉で構成されている。冷蔵庫１００の中段の、冷蔵室２の下方には、引出し式の第一の冷凍室扉３ａを備える第一の冷凍室３と、第一の冷凍室３と水平方向において並行に配置された、引出し式の製氷室扉５ａを備える製氷室５とが設けられている。冷蔵庫１００の中段の、第一の冷凍室３および製氷室５の下方には、引出し式の第二の冷凍室扉４ａを備える第二の冷凍室４が配設されている。冷蔵庫１００の下段（本実施の形態においては、最下部）には、引出し式の野菜室扉６ａを備えた野菜室６が配設されている。
【００３２】
図２に示すように、冷蔵室２と、互いに並行に配置された製氷室５および第一の冷凍室３とは、断熱区画壁１１により、上下に区画されている。同様に、製氷室５および第一の冷凍室３と、第二の冷凍室４とは、断熱区画壁１１により、上下に区画されており、第二の冷凍室４と野菜室６も、断熱区画壁１１により上下に区画されている。
【００３３】
また、図２に示すように、冷蔵庫１００は、冷蔵庫本体１を備える。冷蔵庫本体１は、外箱８と、内箱９と、外箱８と内箱９との間に充填された断熱材１０とで構成されている。冷蔵庫１００は、上段に設けられた冷蔵室２内を照明する照明装置１９を有する。また、冷蔵庫１００は、冷蔵室２内に複数の棚１８を有する。照明装置１９は、冷蔵室２内の上下方向に複数段配置された棚１８の前端よりも前方に配置されている。また、冷蔵庫１００の冷蔵室２内の下部に、冷蔵室２から独立した貯蔵室としての変温室７が区画形成されている。変温室７の上方には、変温室７内を照明する照明装置２１が配置されている。変温室７は、切替え室として構成され、本実施の形態の場合は、０℃付近の冷蔵温度帯の第一の温度帯（チルド）と、第一の温度帯と約−６℃以下の冷凍温度帯との間の温度帯となる約−３℃の第二の温度帯（パーシャル）とに設定可能である。
【００３４】
次に、冷蔵庫１００の冷却システムの構成について説明する。
【００３５】
冷蔵庫１００の第二の冷凍室４の背面後方には、冷却室１４が配設されている。冷却室１４は、内部に冷却器１５を有する。冷却器１５の下部には、除霜ヒータ２２が配置されている。冷蔵庫１００の上部には、上部機械室１３が配設され、上部機械室１３には圧縮機１２が設置されている。冷却器１５は、圧縮機１２とともに、冷蔵庫１００を冷却する冷凍サイクルを構成する。また、冷却室１４には、冷却器１５で熱交換された冷気を強制循環させる送風ファン１６が配置されている。送風ファン１６の上方には、冷蔵室２に流入する冷気を分配するダンパ装置１７ａと、変温室７に流入する冷気を分配するダンパ装置１７ｂとが、ツインダンパとして配置されている。冷気は、これらのダンパ装置を通って、冷蔵室２の背面に配設された冷蔵室ダクト２０に導かれ、冷蔵室ダクト２０に設けられた吐出孔から室内へ冷気を吐出する。
【００３６】
また、冷却室１４は、前方に配置された第一の冷凍室３および第二の冷凍室４と、区画壁２３によって、前後方向において区画されている。
【００３７】
本実施の形態の冷蔵庫１００においては、冷蔵室２の庫内温度は、約２℃〜３℃に設定され、野菜室６の庫内温度は、約２℃〜５℃に設定され、第一の冷凍室３および第二の冷凍室４の庫内温度は、それぞれ約−１８℃〜−２０℃に設定されている。このように、本実施の形態の冷蔵庫１００は、各貯蔵室において、庫内温度の温度帯が設定され、温度帯を分けて各貯蔵室を使用できるよう構成されている。このような構成により、各食品の保存に適した温度帯を選択し、食品を貯蔵することができ、より高い保鮮性および長期保存を実現することができる。
【００３８】
また、冷蔵庫１００の各扉には、ガスケット３０が設けられている。ガスケット３０は、内部にマグネットが配置され、各貯蔵室の前面開口部の周縁部にそれぞれ吸着している。
【００３９】
また、第二の冷凍室４および野菜室６においては、収納ケース３１が引出しレールに載置され、前方に引出し自在に引出しレールに支持されている。引出しレールの奥側には、引出しレールを引き込む付勢部を有する引き込み装置（図示しない）が設けられている。第二の冷凍室４および野菜室６では、扉の閉動作途中で、引出しレールがガスケットに吸着する直前に、引き込み装置に引出しレールの一部が係合され、引き込み装置の付勢部により、閉じる方向に付勢されて引出しレールが引き込まれる。このような構成により、扉の閉動作を補助し、扉の閉め忘れを防止することができる。
【００４０】
野菜室６の収納ケース３１の下方の、断熱区画壁１１には、開扉装置３２が配設されている。
【００４１】
次に、開扉装置３２の構成について説明する。
【００４２】
図３から図５に示すように、開扉装置３２は、本実施の形態では略矩形状を有する。開扉装置３２は、上部ケース３９および下部ケース３３を有するケース３２ａを備える。なお、図３において、紙面の手前が開扉装置３２における前方であり、紙面の奥が開扉装置３２の後方である。図４および図５においては、紙面の手前が開扉装置３２の後方であり、紙面の奥が開扉装置３２の前方である。開扉装置３２は、上面が開口した下部ケース３３内に配置された、モータ３４と、モータ３４により得られた回転力を減速し、駆動力に変換するためのウォームギヤ３５、ウォームホイール３６、第１ギヤ３７、および、第２ギヤ３８とを備える。第２ギヤ３８により、モータ３４により生じる回転力が伝わり、高トルクが得られる。
【００４３】
また、開扉装置３２の上部ケース３９の外側上面には、回転運動するレバー４０が配置されている。レバー４０の回転支点となる基端部４０ａは、上部ケース３９に形成された貫通孔３９ａを貫通し、第２ギヤ３８の回転軸部にビス等の固定部材４１で固定されている。開扉装置３２は、第２ギヤ３８の回転によってレバー４０も連動し、基端部４０ａを支点にレバー４０が回転動作するように構成されている。モータ３４が正転すると、レバー４０は、後述する回転軸を中心として、開扉装置３２から開扉装置３２の外側に突出する方向に回転する。モータ３４が逆回転すると、レバー４０は、開扉装置３２に近づく方向に回転する。
【００４４】
上記のように、開扉装置３２は、上部ケース３９の外側上面にレバー４０を備え、上部ケース３９の下方に、モータ３４、ウォームギヤ３５、ウォームホイール３６、第１ギヤ３７および第２ギヤ３８が配置されている。レバー４０は、モータ３４、ウォームギヤ３５、ウォームホイール３６、第１ギヤ３７および第２ギヤ３８と、上部ケース３９で上下に区画され仕切られている。
【００４５】
また、レバー４０は、図４および図５に示すように、基端部４０ａから自由端部４０ｂに向かって、実質的に円弧状に形成されている。基端部４０ａと自由端部４０ｂとの間には、連続する実質的に円弧状のレバー４０の外周からケース３２ａの外周（より具体的には上部ケース３９の外周）に向かって突出した突出部４０ｃが、基端部４０ａの近傍に部分的に形成されている。レバー４０とモータ３４とは、上部ケース３９で上下に仕切られている。レバー４０およびモータ３４の配置関係については、モータ３４のシャフトに取付けられたウォームギヤ３５よりも上方に、レバー４０が配置され、レバー４０の自由端部４０ｂに近い位置にモータ３４が配置されている。図５に示すように、ウォームギヤ３５の回転軸が延伸する方向で、具体的にはウォームギヤ３５の回転軸の実質的に延長線上に、レバー４０の回転軸となる基端部４０ａが位置するように、第２ギヤ３８の回転軸が配置されている。
【００４６】
下部ケース３３内には、図３から図６に示すように、レバー４０の回転動作位置を検知する位置検知スイッチ４２が配置されている。また、下部ケース３３内には、図３、図５および図６に示すように、第２ギヤ３８に一体で設けられたカム部材４３によって位置検知スイッチ４２を検知する、検知部材４４が配置されている。カム部材４３は、図７に示すように、第２ギヤ３８の、レバー４０が固定される側（図７では上側）とは反対側（図７では下側）の下部の回転軸に配置される。なお、図７において、紙面の左側が開扉装置３２の前方であり、紙面の右側が開扉装置３２の後方である。検知部材４４は、図６に示すように、カム部材４３に係合する係合部４４ａと検知部４４ｂとで構成されている。検知部４４ｂには、コイルバネ４４ｃが付勢して配置されている。
【００４７】
モータ３４の正回転によって、レバー４０が待機位置から最大角度９０度開いた時に、位置検知スイッチ４２により検知され、モータ３４を逆回転させてレバー４０が待機位置に戻される。
【００４８】
上部ケース３９は、図３および図７に示すように、実質的に水平方向に延びる水平フランジ部３９ｂと、水平フランジ部３９ｂから鉛直下方向きに延びる下方フランジ部３９ｃと、水平フランジ部３９ｂより一段上方において実質的に水平方向に形成された段部３９ｄとで構成されている。
【００４９】
図７に示すように、下方フランジ部３９ｃは、下部ケース３３の側壁面３３ａの高さ方向において、下部ケース３３の側壁面３３ａとオーバーラップするように、下部ケース３３内に入り込むように、配置される。また、段部３９ｄ上には、レバー４０の基端部４０ａが配置されている。基端部４０ａは、貫通孔３９ａを貫通して、第２ギヤ３８の回転中心となる回転軸部上に固定配置されている。さらに、段部３９ｄ上には、モータ３４、第１ギヤ３７、および、第２ギヤ３８を覆う収納部３９ｅが配置されている。
【００５０】
また、レバー４０の外周部には、図７に示すように、ゴム状の防水部材４８が配置されている。防水部材４８は、貫通孔３９ａの下方で、上部ケース３９と第２ギヤ３８との間に配置されている。
【００５１】
次に、上記のように構成された開扉装置３２の冷蔵庫１００への取付け構成について説明する。
【００５２】
図２に示すように、開扉装置３２は、引出し式の野菜室６の下部断熱壁である断熱区画壁１１に配設されている。具体的には、図７に示すように、断熱区画壁１１を構成する内板１１ａに形成された開口部に、内板１１ａと別部材で形成された樹脂製のベース部材４５が、断熱材１０（図２参照）側から配置され、開口部がベース部材４５により塞がれている。ベース部材４５は、図７に示すように、内板１１ａの水平面よりも下方に段差状に凹んだ凹部を有する。ベース部材４５の凹部に、開扉装置３２が配置されている。上部ケース３９の水平フランジ部３９ｂは、内板１１ａを覆って内板１１ａとオーバーラップするよう配置されている。水平フランジ部３９ｂと内板１１ａとの間には、軟質フォームの防水部材４８が配置されている。防水部材４８は、水平フランジ部３９ｂの下側に設けられている。このような構成により、内板１１ａから、下部ケース３３とベース部材４５との間に、水が浸入することを抑制することができる。
【００５３】
開扉装置３２の上方には、図２および図７に示すように、野菜室６の収納ケース３１が位置している。また、図１０に示すように、収納ケース３１の外側底面で、収納ケース３１の左右幅方向の略中央部に、収納ケース３１の材質よりも摺動性および耐磨耗性が高いＰＯＭ（ポリアセタール）材で形成された当接部材４６が取り付けられている。また、当接部材４６は、収納ケース３１の底面の、レバー４０が当接する位置に固定されている。例えば、本実施の形態では、当接部材４６は、収納ケース３１の底面の後方側（図１０では、紙面の右下側）に配置されている。また、当接部材４６は、収納ケース３１の補強リブ３１ａよりも下方に延びる当接面を有する。当接部材４６の、当接面と反対側の面には、補強リブ３１ａが、当接部材４６に接して収納ケース３１の左右方向に延伸して形成されている。また、当接部材４６の後方（例えば、図９Ａでは、紙面の右側）に、レバー４０が配置されている。
【００５４】
以上のように構成された冷蔵庫１００の開扉装置３２について、その動作を以下に説明する。
【００５５】
冷蔵室扉２ａまたは野菜室扉６ａに設けられた、人の静電容量を検知する導電体（図示しない）により、利用者の静電容量が検知された場合、制御装置（図示しない）は、開扉装置３２のモータ３４を正回転させる。モータ３４の回転力は、ウォームギヤ３５、ウォームホイール３６、第１ギヤ３７および第２ギヤ３８により、駆動力に変換される。この駆動力により、レバー４０が、基端部４０ａを中心に回転動作し、自由端部４０ｂは、前方の野菜室扉６ａ方向に突出するよう移動する。
【００５６】
本実施の形態の開扉装置３２を備える冷蔵庫１００においては、野菜室扉６ａを開放する時に、開扉装置３２にかかる開扉力（開扉に要する力）は、図８に示すように、３段階に分けられる。第１段階は、開扉力が最も大きい初期開扉時である。第１段階では、ガスケット３０を野菜室扉６ａから引き離すために要するガスケット力と、引出し式の野菜室扉６ａを閉じる方向に引込む引き込み装置のバネ力と、収納ケース３１の重量と、引出しレールの摩擦力とが、開扉力として開扉装置にかかる。第２段階では、ガスケット３０が冷蔵庫本体１から引き離された状態になり、第１段階で開扉装置３２にかかる開扉力のうちのガスケット力が加わらなくなった状態となる。第３段階では、さらに引き込み装置のバネ力から解除され、第２段階で開扉装置３２にかかる開扉力から引き込み装置のバネ力が加わらなくなった状態となる。
【００５７】
野菜室扉６ａが閉じた状態では、図９Ａに示すように、レバー４０は、当接部材４６との間にスペースを有して、当接部材４６と接触しない状態（待機位置）で待機している。
【００５８】
静電容量を検知する導電体により、利用者の静電容量を検知した場合、制御装置により、モータ３４が駆動され、第１ギヤ３７を介して、第２ギヤ３８にモータ３４の回転が伝わり、レバー４０が基端部４０ａを中心に回転する。
【００５９】
第１段階では、図９Ｂに示すように、レバー４０の突出部４０ｃが、当接部材４６を押圧する。野菜室扉６ａが、例えば約１０ｍｍ前方に移動する間は、ガスケット３０によるマグネットの吸着力が加わるため、開扉装置３２は、大きな開扉力が必要となる。野菜室扉６ａが例えば約１０ｍｍ前方に移動するまで、レバー４０の基端部４０ａから近い位置に形成された突出部４０ｃが当接部材４６を押圧するので、高い押圧力によってガスケット３０を冷蔵庫本体１から引き離すことができる。また、レバー４０が待機位置にある時、レバー４０は、当接部材４６との間にスペースを有するよう構成されている。このような構成により、待機中にレバー４０に不要な負荷がかかることを防止できる。
【００６０】
第２段階は、野菜室扉６ａが、閉状態から、例えば約１０ｍｍ以上前方に移動していく時である。第２段階では、突出部４０ｃが、当接部材４６から離れ、レバー４０の押圧点が、レバー４０の円弧に沿って自由端部４０ｂの方向へ移動する。レバー４０の押圧点が自由端部４０ｂの方向へ移動するに伴い、当接部材４６は、レバー４０により押圧され、収納ケース３１を前方へ押圧する。
【００６１】
当接部材４６は、まずレバー４０の突出部４０ｃで押圧される。そして、当接部材４６は、レバー４０の円弧状部分における、突出部４０ｃから離れた部分で押圧される。すなわち、突出部４０ｃが円弧状部分から突出する高さを有するため、当接部材４６は、レバー４０の円弧状部分における、突出部４０ｃから自由端部４０ｂの方向へ離れた部分で押圧される。当接部材４６は、さらに、レバー４０の自由端部４０ｂまで、レバー４０の円弧状部で押圧される。このように、レバー４０の当接部材４６に対する押圧点が、突出部４０Ｃから自由端部４０ｂまで移動することにより、レバー４０の押圧力が当接部材４６に伝わり、当接部材４６により扉が開扉方向へ押し出される。
【００６２】
第２段階におけるレバー４０の押圧力は、第１段階よりも小さくなるが、収納ケース３１は、第１段階から前方へ移動した状態にあり、引き込み装置の付勢力に抗しながら開扉方向へスムーズに押出される。
【００６３】
第３段階では、図９Ｃに示すように、レバー４０の回転角度は、例えば９０度に達し、レバー４０は、自由端部４０ｂで当接部材４６を押圧し、その後、自由端部４０ｂは、当接部材４６から離れる。この時、引出しレールは、引き込み装置から離れ、引き込み装置のバネ力から開放されている。また、収納ケース３１も、第２段階での開扉力の余力で開扉方向に移動している。このため、利用者は野菜室扉６ａに手をかけ、野菜室扉６ａをスムーズに開放することができる。
【００６４】
本実施の形態の開扉装置３２においては、レバー４０に突出部４０ｃが形成されている。このような構成により、レバー４０の回転軸となる基端部４０ａから収納ケース３１の押圧点となる当接部材４６までの距離を小さくすることができる。このような構成により、レバー４０の当接部材４６に対する押圧力は高くなる。また、突出部４０ｃは、レバー４０に部分的に形成されている。このような構成により、レバー４０が大型化にならず、コンパクトな開扉装置３２を得ることができる。
【００６５】
レバー４０が待機位置から所定角度、例えば９０度、回転すると、位置検知スイッチ４２によりレバー４０が検知され、制御装置により、モータ３４の回転が、一旦停止され、その後、モータ３４は、逆回転する。具体的には、図６に示すように、レバー４０が所定角度回転すると、第２ギヤ３８に連動するカム部材４３が回転して、検知部材４４の係合部４４ａがカム部材４３と連動する。カム部材４３の部分的に形成された凸部４３ａが、係合部４４ａ内を回転することで、検知部材４４は、検知部材４４に内蔵されたコイルバネ４４ｃの付勢力に抗して移動し、検知部４４ｂが位置検知スイッチ４２を押圧する。
【００６６】
検知部４４ｂによる位置検知スイッチ４２の押圧が検知されると、検知部材４４は、コイルバネ４４ｃの付勢力によって引き戻される。レバー４０は、モータ３４の逆回転によって、基端部４０ａを軸に待機位置の状態に戻る。
【００６７】
レバーの開閉速度は、本実施の形態では、開扉時（正回転）および閉扉時（逆回転）ともに、８５ｍｍ／ｓｅｃである。なお、カム部材４３は、第２ギヤ３８と一体で形成される態様を例示したが、カム部材４３は、第２ギヤ３８と別体に形成されていてもよい。
【００６８】
上記のように、本実施の形態の開扉装置３２においては、開扉力が第２段階の時点で、レバー４０が収納ケース３１から離れて、モータ３４の逆回転で、すぐにレバー４０が待機位置に戻る。このような構成により、野菜室扉６ａが開放された後、すぐに閉められても、レバー４０が邪魔になり、扉が閉まらなくなることを抑制することができる。
【００６９】
また、本実施の形態の開扉装置３２は、第１ギヤ３７に設けられたクラッチ機構をさらに有している。また、本実施の形態の開扉装置３２は、レバー４０の開放動作途中で、レバー４０に外力による負荷がかかった場合、所定負荷量を超えると、クラッチ機構によりクラッチが切られるよう構成されていてもよい。このような構成により、レバー４０に高負荷がかかり破損することを防止することができる。
【００７０】
また、図１０に示すように、開扉装置３２は、収納ケース３１の外側底面の後方側に配置された当接部材４６を押圧するよう構成されている。このような構成により、収納ケース３１が前方へ移動するときに、収納ケース３１内の収納物およびその他の要因による収納ケース３１底面の変形によって、収納ケース３１底面が開扉装置３２に接触することを防止することができる。
【００７１】
また、本実施の形態の開扉装置３２においては、補強リブ３１ａが、当接部材４６の、レバー４０との当接面と反対側の面に、設けられている。このような構成により、レバー４０が、当接部材４６を押圧して収納ケース３１を開放方向に押出すとき、当接部材４６に負荷がかかる方向に変形することが補強リブ３１ａにより抑制され、野菜室扉６ａが所定寸法の開放ができなくなることを抑制することができる。
【００７２】
また、開扉装置３２は、引出し式の野菜室６の下部断熱壁である断熱区画壁１１に設けられたベース部材４５内に配置されている。ベース部材４５は、引出し式の野菜室６の下部断熱壁である断熱区画壁１１の内板１１ａの水平面よりも下方に段差状に凹んだ凹部を有する。このような構成により、開扉装置３２は、ベース部材４５の凹部に配置されるため、野菜室６の収納内容積を確保することができる。
【００７３】
また、断熱区画壁１１の内板１１ａに結露水が溜まった場合でも、開扉装置３２の水平フランジ部３９ｂが、内板１１ａより一段高く形成されているため、レバー４０は、水平フランジ部３９ｂよりもさらに一段高い段部３９ｄ上に位置する。また、レバー４０の基端部４０ａが貫通する貫通孔３９ａは、ゴム状の防水部材４８でシールされている。このような構成により、貫通孔３９ａから開扉装置３２のケース内に結露水が浸入することを抑制することができる。
【００７４】
また、水平フランジ部３９ｂと内板１１ａとの間には、軟質フォーム４７が配置されている。このような構成により、内板１１ａ上の結露水が、水平フランジ部３９ｂと内板１１ａとの隙間から、開扉装置３２の内部に入ることを防止することができる。また、上部ケース３９と下部ケース３３とは、上部ケース３９の下方フランジ部３９ｃが、下部ケース３３の側壁面３３ａの高さ方向において、下部ケース３３の側壁面３３ａとオーバーラップして下部ケース３３内に入り込むように配置されている。このような構成により、水が内板１１ａからベース部材４５および上部ケース３９の間を通ってケース３２ａ内へ浸入することを抑制することができる。よって、このような構成により、開扉装置３２の防水性を向上させることができる。
【００７５】
本実施の形態では、開扉装置３２は、野菜室６の断熱区画壁１１に設置される例を説明したが、開扉装置３２は、野菜室６の上方にある引出し式の第二の冷凍室４の下部に形成される断熱区画壁１１に設置されてもよい。
【００７６】
また、レバー４０の開閉速度は、閉時の速度を開時よりも上げることで、収納ケース３１が閉方向に押されたとき、レバー４０に外力が加わることを抑制することができる。また、レバー４０の閉時は、レバー４０に負荷がかかっていないので、モータ３４の駆動電圧を下げて、レバー４０の閉時速度を開時よりも下げることにより、モータ音を下げることができ、騒音を低減することができる。また、ギヤの強度確保するために、金属ギヤをインサート成型で構成することにより、ギヤの信頼性をさらに確保することができる。
【００７７】
（実施の形態２）
図１１は、本開示の実施の形態２の冷蔵庫の開扉装置の分解斜視図である。図１２（ａ）〜図１２（ｆ）は、本開示の実施の形態２の冷蔵庫における当接部材と開扉装置の自由端部との当接位置を説明するための図である。
【００７８】
本開示の実施の形態２は、実施の形態１と、以下の点で異なる。すなわち、本開示の実施の形態２の冷蔵庫１００における開扉装置５０は、実施の形態１の冷蔵庫１００における開扉装置３２と、レバーの構成が異なる。以下、本実施の形態の開扉装置５０の構成について、実施の形態１の開扉装置３２と異なる部分を中心に説明し、実施の形態１の開扉装置３２と同様の構成および機能等については、同じ名称および符号を用い、これらの説明な説明はここでは省略する。
【００７９】
図１１は、野菜室扉６ａが閉じた状態での開扉装置５０の待機状態を示している。開扉装置５０の上部ケース３９の外側上面には、回転運動するレバー５２が配置されている。レバー５２の回転動作の中心となる基端部５２ａは、上部ケース３９に形成された貫通孔３９ａを貫通し、第２ギヤ３８の回転軸部にビス等の固定部材４１で固定されている。開扉装置５０は、第２ギヤ３８の回転によってレバー５２も連動し、基端部５２ａを中心にレバー５２が回転動作するように構成されている。
【００８０】
開扉装置５０の上方には、野菜室６の収納ケース３１が位置している（図２および図７参照）。また、図１０に示すように、収納ケース３１の外側底面で、収納ケース３１の左右幅方向の略中央部に、収納ケース３１の材質よりも摺動性および耐磨耗性が高いＰＯＭ材で形成された当接部材５３が取り付けられている。また、当接部材５３は、収納ケース３１の底面の、レバー５２が当接する位置に固定されている。例えば、本実施の形態では、当接部材５３は、収納ケース３１の底面の後方側（図１０では、紙面の右下側）に固定されている。また、当接部材５３は、レバー５２に押圧される当接面５３ａと、当接面５３ａとほぼ直角に形成されるコーナ部５３ｂを有している。コーナ部５３ｂは、基端部５２ａ近傍に位置するよう当接部材５３に設けられている。
【００８１】
次に、本実施の形態の開扉装置５０のレバー５２の構成について説明する。
【００８２】
レバー５３は、基端部５２ａの近傍に、凹状部の一例である切欠き部５２ｂが形成されている。また、レバー５３は、長手方向における基端部５２ａが設けられている端部とは反対側の端部に、自由端部５２ｃを有する。また、レバー５２は、切欠き部５２ｂから自由端部５２ｃに向かって、当接面５３ａに対する押圧部となる角部５２ｄ、直線部５２ｅおよび円弧部５２ｆが連続して構成されている。なお、角部５２ｄは、角部が丸みをおびていてもよい。また、角部５２ｄは、必ずしも設けられなくてもよい。また、直線部５２ｅも、必ずしもレバー５２に設けられていなくてもよい。この場合、直線部５２ｅは、円弧部５２ｆで構成されていてもよい。
【００８３】
レバー５２は、図１２（ａ）に示すように、野菜室６が閉じられた状態の待機状態では、基端部５２ａを支点に、自由端部５２ｃが野菜室６の後方に向かって延びた状態で待機している。また、収納部３９ｅと当接部材５３とは、待機状態でレバー５２を挟んで左右位置にある。レバー５２の基端部５２ａは、開扉装置５０の前後方向において（図１２（ａ）においては、紙面の左側が前方）、当接部材５３の上方から見た投影面における当接面５３ａよりも前方、すなわち、野菜室扉６ａ側に位置している。
【００８４】
以上のように構成された冷蔵庫１００の開扉装置５０について、以下その動作を説明する。
【００８５】
冷蔵室扉２ａまたは野菜室扉６ａに設けられた、人の静電容量を検知する導電体（図示しない）により、利用者の存在が検知された場合、制御装置（図示しない）は、開扉装置３２のモータ３４を正回転させる。ウォームギヤ３５、ウォームホイール３６、第１ギヤ３７および第２ギヤ３８により、モータ３４の回転力が、駆動力に変換され、レバー５２が回転動作する。
【００８６】
図１２（ａ）は、レバー５２および当接部材５３の待機状態を示している。図１２（ｂ）は、レバー５２が当接部材５３に当接する状態を示している。図１２（ｂ）に示すように、レバー５２は、基端部５２ａを中心に、図１２（ｂ）の矢印の方向に回転し、自由端部５２ｃを前方の野菜室扉６ａ方向に突出させる（図１２（ｆ）参照）。レバー５２が当接部材５３に当接する当接位置（図１２（ｂ）参照）では、当接部材５３のコーナ部５３ｂが、切欠き部５２ｂ内に入り込む。また、当接部材５３に対する最初の押圧点（本実施の形態では、角部５２ｄ）が、当接部材５３の当接面５３ａを押圧する。開扉装置５０が図１２（ａ）および図１２（ｂ）の状態では、レバー５２に、図８に示すような第１段階（開扉力が最も大きい初期開扉時）の開扉力がかかった状態であり、開扉装置５０は大きな開扉力が必要となる。本実施の形態の開扉装置５０は、レバー５２の回転軸となる基端部５２ａの近傍に、当接面５３ａの押圧点となる角部５２ｄが形成されている。このような構成により、大きな押圧力で当接面５３ａを押圧することができる。また、本実施の形態の開扉装置５０においては、レバー５２に切欠き部５２ｂが設けられている。このような構成により、レバー５２の動作開始時、すなわち開扉力が最大となる時の、基端部５２ａからレバー５２と当接部材５３とが当接する位置までの距離（基端部５２ａを中心とする半径）を小さくすることができる。このような構成により、駆動源のモータの負荷を軽減することができる。
【００８７】
図１２（ｃ）は、野菜室扉６ａのガスケット３０の磁力が、冷蔵庫本体１から離れる時、すなわち、図８に示すような第２段階である、ガスケット３０の保持力がなくなる状態の、レバー５２の挙動を示している。この時、当接部材５３の当接面５３ａに対するレバー５２の押圧点は、レバー５２の回転動作に伴い角部５２ｄから直線部５２ｅの方向に連続して移動する。これにより、当接部材５３は、レバー５２により押し出され、収納ケース３１を開放する方向に移動させる。この時、収納ケース３１は、引出しレールの後方端に設けられた引き込み装置（図示しない）の付勢力に抗しながら、開扉方向へ押出されるので、第２段階での開扉力は徐々に大きくなる（図８参照）。
【００８８】
図１２（ｄ）は、開扉力が第２段階時（図８参照）のレバー５２の挙動を示す。レバー５２は、レバー５２の当接面５３ａに対する押圧点が、角部５２ｄから、直線部５２ｅへ、続いて円弧部５２ｆへと、当接面５３ａから離れることなく連続して移動して、当接面５３ａを押圧しながら回転する。これにより、当接部材５３が前方へ押し出され、当接部材５３が収納ケース３１を開放する方向に移動させる。
【００８９】
図１２（ｅ）は、レバー５２がさらに前方に向かって回転し、当接面５３ａを押圧するレバー５２の押圧部が、円弧部５２ｆから自由端部５２ｃへ移動する。これにより、引出しレールは、引き込み装置の付勢力から開放され、図８に示すような第３段階の開扉力に移行する。
【００９０】
レバー５２は、図１２（ｆ）に示すように、レバー５２の自由端部５２ｃが当接面５３ａに当接した状態で停止し、収納ケース３１への押圧動作が終了する。レバー５２は、実施の形態１と同様に、レバー５２を固定するギヤ３８に連動するカム部材４３の動作により、位置検知スイッチ４２が検知され、モータ３４を逆回転させてレバー５２を待機位置に戻し、図１２（ａ）に示すような初期位置の状態になる。
【００９１】
上記のように、本実施の形態における開扉装置５０は、レバー５２の回転軸となる基端部５２ａの近傍に、切欠き部５２ｂを有する。このような構成により、レバー５２の回転時に当接部材５３の一部が切欠き部５２ｂ内に入り込んで、角部５２ｄが当接面５３ａに接触する。これにより、レバー５２の動作開始時、すなわち開扉力が最大となる時の、基端部５２ａから、レバー５２と当接部材５３とが当接する位置までの距離（基端部５２ａを中心とする半径）をより小さくすることができる。よって、このような構成により、開扉装置５０の回転軸となる基端部５２ａにかかるトルクを小さくでき、モータ負荷を軽減することができる。
【００９２】
また、レバー５２が当接部材５３を押圧する押圧点は、レバー５２の前方へ向かう回転動作とともに、角部５２ｄから自由端部５２ｃへ連続して移動する。具体的には、収納ケース３１に対する引き込み装置の付勢力が働く区間では、レバー５２の押圧点が、角部５２ｄから当接面５３ａを押圧しながら直線部５２ｅへ、続いて円弧部５２ｆへと連続して移動する。収納ケース３１が引き込み装置の付勢力から解除される区間では、円弧部５２ｆにある押圧点が、連続的に自由端部５２ｃへ移動しながら当接部材５３の当接面５３ａを押圧する。これにより、レバー５２の開扉力は、レバー５２の動作開始時よりも小さくなるので、収納ケース３１の急激な開放速度を低減させることができる。よって、利用者の開扉操作時における収納ケース３１の開放速度を低減でき、利用者への安全性を確保した開扉装置５０、および、このような開扉装置５０を備えた冷蔵庫１００が得られる。
【００９３】
本実施の形態では、開扉装置５０が、冷蔵庫１００の野菜室６内に配置された構成で説明したが、冷凍室４等、冷蔵庫１００の他の貯蔵室に配置されていても、本実施の形態と同様の作用効果を奏する冷蔵庫１００が得られる。
【産業上の利用可能性】
【００９４】
以上述べたように、本開示は、扉を自動的に開扉することができるコンパクトな開扉装置およびこれを備える冷蔵庫を提供する。よって、扉を備えたあらゆる冷却機器等にも適用できる。
【符号の説明】
【００９５】
１    冷蔵庫本体
２    冷蔵室
２ａ    冷蔵室扉
３    第一の冷凍室
３ａ    第一の冷凍室扉
４    第二の冷凍室
４ａ    第二の冷凍室扉
５    製氷室
５ａ    製氷室扉
６    野菜室
６ａ    野菜室扉
７    変温室
８    外箱
９    内箱
１０    断熱材
１１    断熱区画壁
１１ａ    内板
１２    圧縮機
１３    上部機械室
１４    冷却室
１５    冷却器
１７ａ，１７ｂ    ダンパ装置
１８    棚
１９，２１    照明装置
２０    冷蔵室ダクト
２２    除霜ヒータ
２３    区画壁
３０    ガスケット
３１    収納ケース
３１ａ    補強リブ
３２    開扉装置
３２ａ    ケース
３３    下部ケース
３３ａ    側壁面
３４    モータ
３５    ウォームギヤ
３６    ウォームホイール
３７    第１ギヤ
３８    第２ギヤ
３９    上部ケース
３９ａ    貫通孔
３９ｂ    水平フランジ部
３９ｃ    下方フランジ部
３９ｄ    段部
３９ｅ    収納部
４０    レバー
４０ａ    基端部
４０ｂ    自由端部
４１    固定部材
４２    位置検知スイッチ
４３    カム部材
４４    検知部材
４４ａ    係合部
４４ｂ    検知部
４４ｃ    コイルバネ
４５    ベース部材
４６    当接部材
４８    防水部材
５０    開扉装置
５２    レバー
５２ａ    基端部
５２ｂ    切欠き部
５２ｃ    自由端部
５２ｄ    角部
５２ｅ    直線部
５２ｆ    円弧部
５３    当接部材
５３ａ    当接面
５３ｂ    コーナ部
１００    冷蔵庫
【図１】
2018116707.tif 000003
【図２】
2018116707.tif 000004
【図３】
2018116707.tif 000005
【図４】
2018116707.tif 000006
【図５】
2018116707.tif 000007
【図６】
2018116707.tif 000008
【図７】
2018116707.tif 000009
【図８】
2018116707.tif 000010
【図９Ａ】
2018116707.tif 000011
【図９Ｂ】
2018116707.tif 000012
【図９Ｃ】
2018116707.tif 000013
【図１０】
2018116707.tif 000014
【図１１】
2018116707.tif 000015
【図１２】
2018116707.tif 000016
【国際調査報告】
2018116707.tif 000017
2018116707.tif 000018